(57)【特許請求の範囲】
【請求項１】
芯線とこの芯線の周囲を被覆する絶縁被覆とからなり端末部において前記絶縁被覆が剥ぎ取られ芯線が露出した電線と、
前記電線が載置される側に設けられた凹状面とこの凹状面の裏側に設けられた凸状面とを有する底板部とこの底板部の側縁から立ち上がり前記芯線を圧着するバレル部とを備えた端子金具と、を備える端子金具付き電線であって、
前記凹状面のうち前記芯線の先端の前方に嵌め込まれ前記凹状面に接着された止水壁と、
加熱による収縮で一方側が前記止水壁と前記凸状面とを包囲しつつ前記止水壁を押さえつけて前記止水壁及び前記凸状面に密着するとともに他方側が前記絶縁被覆を取り囲むように密着する筒状の熱収縮チューブと、を備え、
前記止水壁が嵌め込まれた部分の前記凹状面には、前記熱収縮チューブの収縮で前記止水壁が押さえつけられることにより前記凹状面に付着した液体を前記止水壁が押しのけて逃がす第１逃がし凹部が形成されている端子金具付き電線。
【請求項２】
前記熱収縮チューブは前記凸状面に接着されるものであり、前記凸状面には、前記熱収縮チューブの収縮の際に押しのけられた前記凸状面に付着した液体を逃がす第２逃がし凹部が形成されていることを特徴とする請求項１に記載の端子金具付き電線。
【請求項３】
前記逃がし凹部は、溝状であることを特徴とする請求項１又は請求項２に記載の端子金具付き電線。
【請求項４】
前記逃がし凹部は、前記底板部の周方向に沿った方向に延びていることを特徴とする請求項３に記載の端子金具付き電線。
【請求項５】
前記逃がし凹部は、複数条形成されていることを特徴とする請求項３又は請求項４に記載の端子金具付き電線。
【請求項６】
前記逃がし凹部は、点状であって、複数形成されていることを特徴とする請求項１又は請求項２に記載の端子金具付き電線。
【発明の詳細な説明】
【技術分野】
【０００１】
本発明は、端子金具付き電線に関する。
【背景技術】
【０００２】
従来、電線と電線端末を圧着する端子金具とを備えてなる端子金具付き電線として特許文献１に記載のものが知られている。
【０００３】
この端子金具付き電線は、例えば、自動車のエンジンルーム内で用いられているが、通常、エンジンルーム内には、水が浸入し得るため、端子金具と電線との接続部分に水が接触する虞がある。この接続部分に水が接触すると、金属材料からなる端子金具及び芯線は腐蝕してしまう。例えば、端子金具が銅からなり、芯線がアルミニウムからなる場合等の、互いに異なる金属部材同士が接続している場合は、特に腐蝕しやすい。そのため、特許文献１に記載の端子金具付き電線は、接続部分の周囲に熱収縮チューブを被せている。このように熱収縮チューブを被せることによって、端子金具付き電線の接続部分に、その周囲から水が滲み込まないようにしている。
【先行技術文献】
【特許文献】
【０００４】
【特許文献１】特開２０００−２８５９８３号公報
【発明の概要】
【発明が解決しようとする課題】
【０００５】
ところで、水は接続部分の周囲（周方向）から滲み込んでくる場合もあれば、端子金具の先側から伝って接続部分へ浸入してくることもある。
特許文献１に記載の端子金具付き電線において、接続部分に被せられた熱収縮チューブの先側は、口が開いた状態になっている。そのため、熱収縮チューブの先側から、水が入り得る状態になっており、問題となっている。
【０００６】
本発明は上記のような事情に基づいて完成されたものであって、防水性に優れた端子金具付き電線を提供することを目的とする。
【課題を解決するための手段】
【０００７】
本発明に係る端子金具付き電線は、芯線とこの芯線の周囲を被覆する絶縁被覆とからなり端末部において前記絶縁被覆が剥ぎ取られ芯線が露出した電線と、前記電線が載置される側に設けられた凹状面とこの凹状面の裏側に設けられた凸状面とを有する底板部とこの底板部の側縁から立ち上がり前記芯線を圧着するバレル部とを備えた端子金具と、を備える端子金具付き電線であって、前記凹状面のうち前記芯線の先端の前方に嵌め込まれ前記凹状面に接着された止水壁と、加熱による収縮で一方側が前記止水壁と前記凸状面とを包囲しつつ前記止水壁を押さえつけて前記止水壁及び前記凸状面に密着するとともに他方側が前記絶縁被覆を取り囲むように密着する筒状の熱収縮チューブと、を備え、前記止水壁が嵌め込まれた部分の前記凹状面には、前記熱収縮チューブの収縮で前記止水壁が押さえつけられることにより前記凹状面に付着した液体を前記止水壁が押しのけて逃がす第１逃がし凹部が形成されているところに特徴を有する。
本構成によれば、止水壁により熱収縮チューブの先端側からの水の浸入を防止することができるため、端子金具付き電線を防水性（止水性）に優れたものとすることができる。
【０００８】
ところで、端子金具は、一般に、プレス機により金属板材に打ち抜き加工や曲げ加工を施して形成されている。ここで、プレス機は、金型の摩耗等の防止の為に時々油（プレス油、潤滑剤、防錆剤等）をかけつつプレス作業を行っているが、このプレスの際に、端子金具の表面に油が付着しやすい。この油が端子金具の凹状面に付着した状態で止水壁を接着すると、油により止水壁が凹状面に対して十分に接着されず、止水壁と端子金具との間のシール性が低下することが懸念される。
一方、本構成によれば、止水壁が嵌め込まれた部分の凹状面には、熱収縮チューブの収縮で止水壁が押さえつけられることにより凹状面に付着した液体を止水壁が押しのけて逃がす第１逃がし凹部が形成されているため、凹状面に付着した油等の液体を、第１逃がし凹部内に逃がすことができる。よって、第１逃がし凹部の外における凹状面の表面に付着する油等の液体を少なくできるため、止水壁と凹状面との間の接着性を良好にすることができる。よって、端子金具に付着した油等の液体による止水壁と端子金具との間のシール性の低下を防止することができる。
【０００９】
上記構成に加えて以下の構成を有すればより好ましい。
（１）前記熱収縮チューブは前記凸状面に接着されるものであり、前記凸状面には、前記熱収縮チューブの収縮の際に押しのけられた前記凸状面に付着した液体を逃がす第２逃がし凹部が形成されている。
熱収縮チューブを接着層を介して凸状面に隙間なく密着させることができ、熱収縮チューブと凸状面との間のシール性を向上させることができる。
【００１０】
ところで、プレスの際には、油が端子金具の凹状面だけでなく、凸状面にも付着しうる。この凸状面に油が付着した状態で熱収縮チューブを装着すると、油により熱収縮チューブと凸状面との間の接着性が低下し、熱収縮チューブと端子金具との間のシール性の低下が懸念される。
本構成によれば、熱収縮チューブが密着する凸状面には、凸状面に付着した液体を熱収縮チューブが収縮の際に押しのけて逃がす第２逃がし凹部が形成されているため、凸状面に付着した油等の液体を、第２逃がし凹部内に逃がすことができる。よって、第２逃がし凹部の外における凸状面の表面に付着する油等の液体を少なくできるため、熱収縮チューブと凸状面との間の接着性を良好にすることができる。よって、端子金具に付着した油等の液体による熱収縮チューブと端子金具との間のシール性の低下を防止することができる。
【００１１】
（２）前記逃がし凹部は、溝状である。
このようにすれば、油等を逃がし凹部に導きやすくなる。
（３）前記逃がし凹部は、前記底板部の周方向に沿った方向に延びている。
軸方向に延びる場合等と比較して電線側に油等が移動しにくいため、シール性を向上させることができる。
【００１２】
（４）前記逃がし凹部は、複数条形成されている。
より確実にシール性を発揮させることができる。
（５）前記逃がし凹部は、点状であって、複数形成されている。
【発明の効果】
【００１３】
本発明によれば、防水性（止水性）に優れた端子金具付き電線及び端子金具を提供することができる。
【図面の簡単な説明】
【００１４】
【図１】実施形態１に係る端子金具付き電線を示す斜視図
【図２】端子金具付き電線を示す側面図
【図３】端子金具付き電線を示す側断面図
【図４】止水壁を有する部分を拡大して示した側断面図
【図５】止水壁が載せられた端子金具と電線を示す斜視図
【図６】端子金具に電線が載置された状態を示す平面図
【図７】端子金具の底板部を逃がし凹部を有する部分について拡大して示した側断面図
【図８】熱収縮チューブを装着していない状態の端子金具付き電線を示す平面図
【図９】端子金具付き電線に熱収縮チューブを通した状態を示す側断面図
【図１０】連鎖端子を示す平面図
【図１１】連鎖端子に止水壁が嵌め込まれた状態を示す平面図
【図１２】装着部に止水壁が嵌め込まれた状態を拡大して示す側断面図
【図１３】実施形態２に係る端子金具付き電線を構成する端子金具及び電線を示す平面図
【発明を実施するための形態】
【００１５】
＜実施形態１＞
本発明の実施形態１に係る端子金具付き電線１０を、図１ないし図１２を参照しつつ説明する。
端子金具付き電線１０は、図２に示すように、電線１１と、この電線１１の端末に取り付けられる端子金具２０と、この端子金具２０に取り付けられる止水壁３０と、この止水壁３０と共に、電線１１と端子金具２０との接続部分を包囲するように被せられる筒状の熱収縮チューブ３３とを備える。以下では、上下方向については図２を基準とし、図２の左方を前方、右方を後方として説明する。
【００１６】
（電線）
電線１１は、複数本の金属細線を撚り合せてなる芯線１２と、この芯線１２の外周を被覆する合成樹脂製の絶縁被覆１３（絶縁層）と、を備える。芯線１２を構成する材料としては、例えば、銅、銅合金、アルミニウム、アルミニウム合金等が挙げられ、必要に応じて任意の金属材料の中から適宜選択される。電線１１の端末部分の絶縁被覆１３は除去され、芯線１２が露出している。なお、芯線１２は単芯線を用いてもよい。
【００１７】
（端子金具）
端子金具２０は、例えば、金属板材を所定形状にプレス加工することによって得られ、雌型であり、図示しない相手側の雄型端子と接続される。
この端子金具２０は、図５に示すように、相手側の雄型の端子金具２０(図示しない）と接続される接続部２１と、接続部２１における側壁２１Ｂ及び底板２１Ｃの後方に連なり電線１１が載置される底板部２２と、この底板部２２の両側縁部から立ち上がり電線１１をかしめて圧着するバレル部２８とを備える。
【００１８】
接続部２１は、端子金具２０の先端側に設けられ、断面が略正方形の筒状をなし、この接続部２１内には、相手側の端子金具２０と弾性的に接触する弾性接触片２１Ａが設けられている。
底板部２２は、前後方向（電線１１の軸方向）に長い形状であって、幅方向に略Ｕ字状（左右方向の断面が略Ｕ字状）に湾曲した形状であり、これにより内面側（電線１１が載置される側）に凹状に湾曲した凹状面２３が設けられ、凹状面２３の裏側に凸状に湾曲した凸状面２６が設けられている。
【００１９】
凹状面２３には、電線１１の端末において絶縁被覆１３が剥ぎ取られて露出した芯線１２と、絶縁被覆１３を有する部分とが載置され、後端部から電線１１が延出される。
ここで、図６に示すように、凹状面２３のうち芯線１２の先端の前方は、前後方向に所定寸法（止水壁３０の厚み寸法。図６のＡの範囲）に亘って止水壁３０が嵌め込まれる部分（領域）である装着部２４とされている。
【００２０】
この装着部２４には、底板部２２の周方向に沿った方向に溝状に延びる第１逃がし凹部２５が、前後方向に４本（複数条）並んで設けられている。
第１逃がし凹部２５は、図７に示すように、一定の深さで凹状面２３の全幅（略半円形の全幅）に亘って凹み形成されており、深くなるほど幅寸法が傾斜状に狭くなる側断面形状とされている。これら第１逃がし凹部２５は、熱収縮チューブ３３の収縮で止水壁３０が押さえつけられた際に、凹状面２３の表面（第１逃がし凹部２５以外の部分）に付着した油等の液体Ｌｉを止水壁３０が押しのけて逃がす領域を形成するために設けられている。
【００２１】
４本（条）の第１逃がし凹部２５の間隔は、装着部２４内において前後方向（軸方向）に等間隔で設けられており、第１逃がし凹部２５の最深部の幅Ｂ１と第１逃がし凹部２５間（開口端間）の間隔Ｂ２とは、Ｂ２の寸法がわずかに大きい。
【００２２】
凸状面２６には、装着部２４の裏面側（装着部２４に対応する位置）に、底板部２２の凸状面２６の周方向に沿う方向に溝状に延びる第２逃がし凹部２７が、前後に４本（複数条）並んで設けられている。
第２逃がし凹部２７は、一定の深さで凸状面２６の全幅（略半円形の全幅）に亘って凹み形成されており、深くなるほど幅寸法が傾斜状に狭くなる断面形状とされている。この第２逃がし凹部２７は、熱収縮チューブ３３の収縮の際に押しのけられた凸状面２６に付着した液体Ｌｉを逃がす領域となるように設けられている。
【００２３】
４本（条）の第２逃がし凹部２７の間隔は、装着部２４内において前後方向（軸方向）に等間隔で設けられており、第２逃がし凹部２７の最深部の幅Ｃ１と第２逃がし凹部２７間（開口端間）の間隔Ｃ２とは、Ｃ２の寸法がわずかに大きい。
ここで、第１逃がし凹部２５と第２逃がし凹部２７とは、互いの逃がし凹部２５（２７）が他方の凸部（凹状面又は凸状面の表面）となるように前後方向に位置をずらして（交互に）形成されている。
【００２４】
各逃がし凹部２５，２７の本数、幅及び深さは、熱収縮チューブ３３の収縮時に凹状面２３や凸状面２６に付着した油等の液体Ｌｉを逃がすことができる本数、幅及び深さが設定される。例えば製造時のプレスの際に使用する油の量に応じて付着する油の量や油等の液体Ｌｉの種類を想定し、これに応じて液体Ｌｉを逃がすことができる本数、幅及び深さを設定することができる。なお、逃がし凹部２５，２７の深さは、底板部２２の強度を維持できる範囲で設定される。
【００２５】
バレル部２８は、図５に示すように、芯線１２をかしめて圧着するワイヤーバレル２８Ａと、電線１１を絶縁被覆１３の上からかしめて保持するインシュレーションバレル２８Ｂとからなる。
ワイヤーバレル２８Ａは板片状であり、端子金具２０が電線１１に取り付けられる前は、底板部２２の両縁から立ち上がるように設けられている。このワイヤーバレル２８Ａは、端子金具２０が電線１１に取り付けられる際に、底板部２２上の芯線１２を抱きかかえるように芯線１２に対して圧着される（かしめられる）。
【００２６】
インシュレーションバレル２８Ｂは、ワイヤーバレル２８Ａよりも幅が細い板片状であり、端子金具２０が電線１１に取り付けられる前は、ワイヤーバレル２８Ａと同様、底板部２２の両縁から立ち上がるように設けられている。このインシュレーションバレル２８Ｂは、底板部２２上に載せられている根元の絶縁被覆１３を抱きしめるようにして絶縁被覆１３をかしめる。
ワイヤーバレル２８Ａが延設されている部分の凹状面２３には、複数個の略四角形状（略平行四辺形状）に凹設されたセレーション２９が形成されている。このセレーション２９が圧着の際に芯線１２の表面の酸化膜を破ることで、電気抵抗の低下を抑制しつつ、ワイヤーバレル２８Ａと芯線１２との固着力を高めることができる。
【００２７】
端子金具２０を構成する金属材料としては、例えば、銅、銅合金等が挙げられ、必要に応じて任意の金属材料の中から適宜選択される。なお、本実施形態の端子金具２０を構成する金属板材の表面には、メッキ層（不図示）が形成されている。メッキ層を構成する金属としては、例えば、スズ、ニッケル等が挙げられ、必要に応じて任意の金属材料の中から適宜選択される。本実施形態においては、端子金具２０を構成する金属材料（銅又は銅合金）の表面にスズメッキ層が形成されている。なお、メッキ層が形成されていない金属板材を、端子金具２０の材料として用いてもよい。
【００２８】
（止水壁）
止水壁３０は、所定形状に加工された樹脂加工物を用いて製造される。本実施形態の止水壁３０は、略円柱状であり、装着部２４の内側に嵌るような形状に加工されている。この止水壁３０に使用される樹脂材料としては、例えば、対金属良接着性エラストマー（商品名：ペルプレン（登録商標）、東洋紡績株式会社）が挙げられる。この樹脂材料は、適度な剛性（弾性）を備えると共に、加熱処理によって金属に対する接着性を発現する。この樹脂材料からなる止水壁３０は、所定温度で加熱処理すると、全体としては形状（剛性）を維持しつつも、表面から溶融した液状の樹脂材料であり金属に対して接着性を有する熱可塑性接着剤３１が滲み出してくる。例えば、樹脂材料における母材部分の融点は１７０℃程度であり、上記のように滲み出してくる熱可塑性接着剤３１の融点は１２０℃程度である。なお、常温（室温）下では、止水壁３０は、金属に対する接着性はなく、取り扱いやすい。このような止水壁３０は、例えば、樹脂材料を、押出成形装置を利用して細長い円柱状の成形物に押出成形し、その成形物を所定形状（大きさ）に切り分けることによって得られる。
【００２９】
断面が略円形である止水壁３０の直径は、装着部２４の幅よりも、若干大きくなるように設定されており、止水壁３０は、装着部２４の内側に嵌め込まれる。いる。
この止水壁３０は適度な弾性を有しており、底板部２２の内側から外側に向かって押し返すようにして、装着部２４の内側表面に対して密着する。なお、止水壁３０を端子金具２０に取り付ける作業は、端子金具２０に電線１１を取り付ける前に行ってもよいし、端子金具２０に電線１１を取り付けた後に行ってもよい。
【００３０】
装着部２４の内側に嵌め込まれた止水壁３０は、その後、端子金具２０と共に加熱処理される。この加熱処理は、止水壁３０の外周面と、装着部２４の内側表面（金属表面）とを隙間なく液密的に密着させるために行われる。上述したように、本実施形態の止水壁３０は、所定温度（例えば、１２０℃）で加熱されると表面から熱可塑性接着剤３１が滲み出してくる。この熱可塑性接着剤３１が、加熱処理時に止水壁３０の外周面と、装着部２４の内側表面との間に入り込む。
【００３１】
止水壁３０は、その一部（上側部分）が装着部２４からはみ出しており、露出している。この露出した部分は、後述するように、最終的に筒状の熱収縮チューブ３３によって覆われる。
【００３２】
（熱収縮チューブ）
熱収縮チューブ３３は、加熱処理によって収縮する合成樹脂材料からなる筒状の部材であって、図２に示すように、熱収縮チューブ３３の先側の開口端部は、止水壁３０とこの止水壁３０を受け支える部分の底板部２２とを取り囲むように、これらと密着している。これに対して、後側の開口端部は、芯線１２の根元の絶縁被覆１３を取り囲むように、絶縁被覆１３と密着している。
本実施形態において、先側の開口端部と、後側の開口端部との間に存在している部分の熱収縮チューブ３３は、端子金具２０と電線１１との接続部分を外側から締付けるように密着している。
【００３３】
熱収縮チューブ３３の内周面には、加熱されて軟化又は溶融することで接着性を発現する接着層３４が形成されている。接着層３４に用いられる接着剤としては、この種の電線１１で利用される公知のものを適用できる。なお、熱収縮チューブ３３の内周面に、接着層３４又は粘着層を設けない構成とすることも可能である。
【００３４】
（製造工程）
次いで、本実施形態に係る端子金具付き電線１０の製造工程の一例を示す。
先ず、プレス機により平板状の金属板材に対して展開形状に打ち抜く打ち抜き工程及び立体的な形状とする曲げ工程が施され、図１０に示すような複数の端子金具２０が連なって構成されてなる連鎖端子４０が形成される。この打ち抜き工程の際に、底板部２２の逃がし凹部２５，２７も形成される。なお、別工程において逃がし凹部２５，２７を形成することも可能である。
打ち抜き工程の際には、ワイヤーバレル２８Ａが延設されている部分の底板部２２上に、複数個のセレーション２９が形成される。
【００３５】
ここで、このようなプレス機による打ち抜き工程や曲げ工程の際に、金型の摩耗等の防止の為に時々油（プレス油、潤滑剤、防錆剤等）をかけつつプレス作業を行っているが、このプレス作業の際に、端子金具２０の表面に油等の液体Ｌｉが付着しやすい。そのため、底板部２２の凹状面２３及び凸状面２６には、それぞれ全体に油等の液体Ｌｉが付着した状態となっている（図７）。
【００３６】
打ち抜き工程や曲げ工程で形成された連鎖端子４０は、図１０に示すように、複数個の端子金具２０と、複数個の端子金具２０を等間隔で横並びに連結するキャリア４１とを備えて構成される。
キャリア４１には、長手方向に沿って略等間隔に並んだ送り孔４２が形成されている。送り孔４２としては、略円形状のものと、略矩形状のものとが交互に並べられている。この送り孔４２は、図示しない加工機に設けられた送り爪が係合するように設定されている。
【００３７】
次に、キャリア４１に形成されている送り孔４２に、加工機の送り爪を係合させて、順次、各端子金具２０を送りながら、凹状面２３の装着部２４に、予め所定形状に加工された止水壁３０を、組立機によってそれぞれ嵌め込む。この止水壁３０を装着部２４に嵌め込む間は、キャリア４１の移動は停止される。嵌め込み後に、キャリア４１の移動が再開される。
【００３８】
なお、この段階では、止水壁３０は、凹状面２３の装着部２４に強く押しつけられていないため、凹状面２３の装着部２４に付着した油等の液体Ｌｉを第１逃がし凹部２５に十分に逃がすに至っておらす、底板部２２と止水壁３０との間は、依然として付着した液体Ｌｉによる油層（液層）が形成されている。
止水壁３０が嵌め込まれた連鎖端子４０は、加熱装置５０により加熱処理工程が施される。この加熱処理工程において、図１２に示すように、止水壁３０から、金属に対して接着性を有する熱可塑性接着剤３１が滲み出す。
【００３９】
この段階においても、（金属と油等とは比較的親和性が高いため）止水壁３０から滲み出した熱可塑性接着剤３１が、防水性を十分に発揮する程度（十分な接着性を生じさせる程度）に止水壁３０と装着部２４との間の液体Ｌｉ（油層（液層））を通って装着部２４の表面に達することができないとともに、止水壁３０が装着部２４側に強く押しつけられていないため、凹状面２３の装着部２４に付着した油等の液体Ｌｉを第１逃がし凹部２５に十分に逃がすに至っていない。
【００４０】
加熱処理工程後は、装着部２４の後方の凹状面２３上に、電線１１の端末部分が載せられる。
上記のように、端子金具２０の底板部２２上に電線１１の端末部分を載せた後、加工装置を利用して、端子金具２０のワイヤーバレル２８Ａ及びインシュレーションバレル２８Ｂをかしめ付ける（圧着する）。
【００４１】
また、圧着の際に、キャリア４１と端子金具２０とをが切断される。この切断工程は、圧着工程と同時に行うことが可能である。このように端子金具２０が電線１１に対して圧着され、かつ端子金具２０（端子金具２０）がキャリア４１から切り離されると、電線１１の端末に端子金具２０が取り付けられた状態の端子金具付き電線が得られる（図８）。
【００４２】
次いで、図９に示されるように、熱収縮チューブ３３からなる未加熱状態の筒状の熱収縮チューブ３３が、電線１１と端子金具２０との接続部分を包囲するように被せられる。熱収縮チューブ３３は、端子金具２０側から挿通させて被せられてもよいし、電線１１側から挿通させて被せられてもよい。なお、電線１１側から被せられる場合、上記圧着工程の前に、予め電線１１に熱収縮チューブ３３を挿通させておくことが好ましい。未加熱状態における熱収縮チューブ３３の内径は、電線１１と端子金具２０との接続部分よりも大きく設定されている。熱収縮チューブ３３は、接続部２１分を包囲できるように先側の開口端部と、後側の開口端部との位置が、熱収縮量を考慮して、位置決めされる。
【００４３】
上記のように位置決めされた後、熱収縮チューブ３３が被せられた電線１１及び端子金具２０は、図示されない加熱装置内で加熱処理工程が施される。この加熱処理工程において、熱収縮チューブ３３からなる熱収縮チューブ３３が熱収縮する。
【００４４】
これにより、凹状面２３側（止水壁３０側）の熱収縮チューブ３３については、収縮により止水壁３０の周面に押しつけられ、止水壁３０を凹状面２３側に押しつける。これにより、図４に示すように、凹状面２３の表面に付着した油等の液体Ｌｉは、止水壁３０からの比較的強い力で凹状面２３の表面から押しのけられ、第１逃がし凹部２５内に逃がされる。なお、凹状面２３の表面に付着した油等の液体Ｌｉのうちの一部は、装着部２４の前後の止水壁３０のない部分に逃がされる。これにより止水壁３０から滲み出た熱可塑性接着剤３１が、止水壁３０としての機能を十分に生じさせる程度（十分な接着性を生じさせる程度）に止水壁３０と凹状面２３の装着部２４との間の液体Ｌｉを押しのけ凹状面２３の表面に達することができ、止水壁３０が凹状面２３の装着部２４に対して熱可塑性接着剤３１により隙間なく密着する。
【００４５】
一方、凸状面２６側の熱収縮チューブ３３については、収縮により凸状面２６に押しつけられることにより、凸状面２６の表面に付着した油等の液体Ｌｉは、比較的強い力で凸状面２６の表面から押しのけられ、第２逃がし凹部２７内に逃がされる。なお、凸状面２６の表面に付着した油等の液体Ｌｉのうちの一部は、熱収縮チューブ３３のない前方に逃がされる。
【００４６】
これにより凸状面２６においても熱収縮チューブ３３の内周面上に形成されている接着層３４が接着性を発現し、熱収縮チューブ３３の一方の開口端側について凸状面２６（装着部２４の裏面側）と熱収縮チューブ３３との間が接着層３４（接着剤）により隙間なく密着する。なお、熱収縮チューブ３３の他方の開口端側は、電線１１の絶縁被覆１３に密着するものであるため、プレスの際等における油等の液体Ｌｉは付着しておらず、熱収縮チューブ３３は、他方の開口端側についても電線１１に隙間なく密着する。
【００４７】
開口端側以外の部分は、その表面形状に対応して全体が熱収縮チューブ３３の収縮により密着する。
以上の製造工程によって端子金具付き電線１０が得られる。
【００４８】
本実施形態によれば以下の効果を奏する。
（１）  電線１１が載置される側に設けられた凹状面２３のうち芯線１２の先端の前方に嵌め込まれ凹状面２３（の装着部２４）に接着された止水壁３０と、加熱による収縮で一方側が止水壁３０と凸状面２６とを包囲しつつ止水壁３０を押さえつけて止水壁３０及び凸状面２６に密着するとともに他方側が絶縁被覆１３を取り囲むように密着する筒状の熱収縮チューブ３３と、を備える。
このようにすれば、止水壁３０により熱収縮チューブ３３の先端側からの水の浸入を防止することができるため、端子金具付き電線１０を防水性（止水性）に優れたものとすることができる。
【００４９】
また、本実施形態によれば、装着部２４（止水壁３０が嵌め込まれた部分の凹状面２３）には、熱収縮チューブ３３の収縮で止水壁３０が押さえつけられることにより装着部２４（凹状面２３）に付着した油等の液体Ｌｉを止水壁３０が押しのけて逃がす第１逃がし凹部２５が形成されているため、装着部２４（凹状面２３）に付着した油等の液体Ｌｉを、第１逃がし凹部２５内に逃がすことができる。よって、第１逃がし凹部２５の外における装着部２４（凹状面２３）の表面に付着する油等の液体Ｌｉを少なくできるため、止水壁３０と装着部２４（凹状面２３）との間の接着性を良好にすることができる。よって、端子金具２０に付着した油等の液体Ｌｉによる止水壁３０と端子金具２０との間のシール性の低下を防止することができる。
【００５０】
（２）熱収縮チューブ３３は凸状面２６に接着されるものであり、凸状面２６には、熱収縮チューブ３３の収縮の際に押しのけられた凸状面２６に付着した液体Ｌｉを逃がす第２逃がし凹部２７が形成されているため、熱収縮チューブ３３を接着層３４を介して凸状面２６に隙間なく密着させることができ熱収縮チューブ３３と凸状面２６との間のシール性を向上させることができる。
【００５１】
ところで、プレスの際には、油等の液体Ｌｉが端子金具２０の凹状面２３だけでなく、凸状面２６にも付着しうる。この凸状面２６に油等の液体Ｌｉが付着した状態で熱収縮チューブ３３を装着すると、油等の液体Ｌｉにより熱収縮チューブ３３と凸状面２６との間の接着性が低下し、熱収縮チューブ３３と端子金具２０との間のシール性の低下が懸念される。
本実施形態によれば、熱収縮チューブ３３が密着する凸状面２６には、凸状面２６に付着した液体Ｌｉを熱収縮チューブ３３が収縮の際に押しのけて逃がす第２逃がし凹部２７が形成されているため、凸状面２６に付着した油等の液体Ｌｉを、第２逃がし凹部２７内に逃がすことができる。よって、第２逃がし凹部２７の外における凸状面２６の表面に付着する油等の液体Ｌｉを少なくできるため、熱収縮チューブ３３と凸状面２６との間の接着性を良好にすることができる。よって、端子金具２０に付着した油等の液体Ｌｉによる熱収縮チューブ３３と端子金具２０との間のシール性の低下を防止することができる。
【００５２】
（３）逃がし凹部２５，２７は、溝状であるため、油等を逃がし凹部２５，２７に導きやすくなる。
（４）逃がし凹部２５，２７は、凹状面２３（底板部２２）の周方向に沿った方向に延びているため、軸方向に延びる場合等と比較して電線１１側に油等が移動しにくいため、シール性を向上させることができる。
（５）逃がし凹部２５，２７は、複数条形成されているため、より確実にシール性を発揮させることができる。
【００５３】
＜実施形態２＞
次に、本発明の実施形態２を図１３を参照して説明する。実施形態２では、逃がし凹部２５，２７は、溝状であったが、実施形態２は、逃がし凹部６１を点状としたものである。以下では、上記実施形態と同一の構成については同一の符号と付して説明を省略する。
【００５４】
端子金具６０における装着部２４には、点状の逃がし凹部６１が、複数個（図１３では１５個）周囲とは所定以上の間隔を隔てて（他とは所定以上離間して）形成されている（散在している）。各逃がし凹部６１は、ほぼ同じ径の円形状である。なお、逃がし凹部６１の径、深さ、個数は、底板部２２に付着する油等の液体Ｌｉの性質や量等に応じて適宜設定される。
【００５５】
＜他の実施形態＞
本発明は上記記述及び図面によって説明した実施形態に限定されるものではなく、例えば次のような実施形態も本発明の技術的範囲に含まれる。
（１）上記実施形態では、逃がし凹部２５，２７は、溝状又は点状（円形状）としたこれに限られない。例えば、多角形状でもよい。
【００５６】
（２）実施形態１では、溝状の逃がし凹部２５，２７は、周方向に延びていたが、これに限られず、他の方向に延びるものでもよい。なお、前後方向に延びる逃がし凹部２５，２７とすると、この逃がし凹部２５，２７が前方からの水の通り路となるおそれがあるため、逃がし凹部２５，２７の延びる寸法を短くするか、若しくは、前後方向以外の方向に延びるようにすることが望ましい。
（３）凸状面２６側に設ける第２逃がし凹部２７は、止水壁３０の装着部２４の裏側（装着部２４に対応する位置）に限らず、凸状面２６のうち、装着部２４の裏側（装着部２４に対応する位置）以外の位置であってもよい。
【００５７】
（４）上記実施形態においては、止水壁３０として加熱処理時に表面から熱可塑性接着剤３１が滲み出してくるものを使用したが、例えば、断面が円形状の芯材と、この芯材の外周面を覆う皮材とからなる止水壁を使用してもよい。芯材は、例えば、融点が１７０℃程度の樹脂材料からなり、皮材は、融点が１２０℃程度の樹脂材料（接着性可塑性樹脂）からなる。この場合、皮材が加熱処理時に溶融及び変形して接着成分となる。このような構成の止水壁も、装着部２４に嵌め込んで（圧入して）設けられる。このように装着部２４に嵌め込まれた後、加熱処理されると、止水壁の皮材部分が溶融して、装着部２４の内側表面形状に適合するように変形する。そして、止水壁の外周面（つまり、皮材の表面）と、装着部２４とが液密的に密着する。なお、芯材は上記のように加熱処理されても溶融せず、止水壁の形状を維持する。
【００５８】
（５）上記実施形態においては、バレル部２８としてインシュレーションバレル２８Ｂを備えていたが、インシュレーションバレル２８Ｂを備えておらず、ワイヤバレル２８Ａのみを有する構成であってもよい。
（６）上記実施形態においては、端子金具２０が所謂、雌型であったが、これに限らず、雄型であってもよいし、丸型端子（所謂、ＬＡ端子）であってもよい。つまり、端子金具の形状は、目的に応じて適宜選択すればよい。
【符号の説明】
【００５９】
１０…端子金具付き電線
１１…電線
１２…芯線
１３…絶縁被覆
２０，６０…端子金具
２２…底板部
２３…凹状面
２４…装着部
２５，６１…第１逃がし凹部
２６…凸状面
２７，６１…第２逃がし凹部
２８…バレル部
３０…止水壁
３１…熱可塑性接着剤
３３…熱収縮チューブ
３４…接着層
４０…連鎖端子
４１…キャリア
Ｌｉ…液体
【図１】
0005549617.tif 000002
【図２】
0005549617.tif 000003
【図３】
0005549617.tif 000004
【図４】
0005549617.tif 000005
【図５】
0005549617.tif 000006
【図６】
0005549617.tif 000007
【図７】
0005549617.tif 000008
【図８】
0005549617.tif 000009
【図９】
0005549617.tif 000010
【図１０】
0005549617.tif 000011
【図１１】
0005549617.tif 000012
【図１２】
0005549617.tif 000013
【図１３】
0005549617.tif 000014